(57)【要約】【課題】本発明は、極めて商品価値の高い画期的なサーフボードケースを提供することを目的とする。【解決手段】サーフボード１を収納するためのサーフボードケースであって、ケース本体２は、サーフボード１の上面部１ａを被覆する第一被覆部材３と、この第一被覆部材３と重合状態に連設され、サーフボード１の下面部１ｂを被覆する第二被覆部材４とから成り、第一被覆部材３と第二被覆部材４とは、サーフボード１の上面部１ａにワックスを塗布する部分に対応する第一被覆部材３の内面３ａ及び該ワックスを塗布する部分に対応する内面３ａに重合される第二被覆部材４の内面４ａの双方が略全て露出するように展開可能に連設されたものである。【選択図】        図３
2004174072.tif 000002
【特許請求の範囲】
【請求項１】
サーフボードを収納するためのサーフボードケースであって、ケース本体は、サーフボードの上面部を被覆する第一被覆部材と、この第一被覆部材と重合状態に連設され、サーフボードの下面部を被覆する第二被覆部材とから成り、第一被覆部材と第二被覆部材とは、サーフボードの上面部にワックスを塗布する部分に対応する第一被覆部材の内面及び該ワックスを塗布する部分に対応する内面に重合される第二被覆部材の内面の双方が略全て露出するように展開可能に連設されていることを特徴とするサーフボードケース。
【請求項２】
サーフボードを収納するためのサーフボードケースであって、ケース本体は、サーフボードの上面部を被覆し該上面部と略同形状の第一被覆部材と、サーフボードの下面部を被覆し該下面部と略同形状の第二被覆部材とから成り、この第一被覆部材と第二被覆部材とは夫々の周縁の一部において連設され、該周縁の残余の部分はファスナー等の適宜な開閉手段により接離自在に連設され、前記開閉手段の長さは、第二被覆部材に対して第一被覆部材が展開可能となる長さに設定されていることを特徴とするサーフボードケース。
【請求項３】
請求項２記載のサーフボードケースにおいて、前記第一被覆部材及び第二被覆部材はともに対向する直線状縁の両端に湾曲状縁が連設された形状であり、第一被覆部材と第二被覆部材との周縁における連設部は互いに対向する直線状縁に設けられていることを特徴とするサーフボードケース。
【発明の詳細な説明】
【０００１】
【発明の属する技術分野】
本発明は、サーフボードケースに関するものである。
【０００２】
【従来の技術及び発明が解決しようとする課題】
サーフィンで使用されるサーフボード１の上面部１ａにしてライダーが乗る部分（デッキ面１ａ）にはワックスが塗られる。雪上での滑走性能を向上するため滑走面にワックスを塗布するスノーボードやスキーと異なり、サーフィンで使用されるワックスはデッキ面１ａでライダーが滑るのを防止することを目的とするものであり、あくまで滑走面１ｂには平滑性が要求され、むしろワックスが付着してはいけないとされる。尚、本実施例と同一構成部分には同一符号を付した。
【０００３】
ところで、サーフボード１は、例えばサーフボード１（滑走面１ｂ）の保護や持ち運びをし易くするなどの目的から専用のケースに収納されるが、このケースを介してサーフボード１のデッキ面１ａに塗布されたワックスが滑走面１ｂに付着してしまう場合がある（以下、従来から提案されるケースを従来例という。）。
【０００４】
即ち、この現象を図５に基づいて説明すると、この現象は、例えば気温の高い夏季に顕著に現れ、デッキ面１ａにワックスが塗布されたサーフボード１をケース本体２内に収納すると（図５中（ａ），（ｂ）参照）、このケース本体２内に収納されるサーフボード１のデッキ面１ａに塗布されるワックスが溶け、この溶けたワックスがサーフボード１のデッキ面１ａを被覆する第一被覆部３の内面３ａに付着し（図５中（ｂ）参照）、この状態でケース本体２からサーフボード１を取り出すと、この第一被覆部３の内面３ａに付着したワックスがケース本体２の第二被覆部４の内面４ａに付着し（図５中（ｃ），（ｄ）参照）、この第二被覆部４に付着したワックスが、再びケース本体２内に収納したサーフボード１の滑走面１ｂに付着してしまうのである（図５中（ｄ），（ｃ），（ｂ），（ａ）参照）。
【０００５】
従って、サーフボード１の滑走面１ｂに付着したワックスは剥がし材（リムーバー）を使用して除去することになるが、サーフボード１の滑走面１ｂだけでなく、ケース本体２の第一被覆部材３及び第二被覆部材４夫々の内面３ａ，４ａに付着したワックスも剥がさなければならない。
【０００６】
そこで、このケース本体２の第一被覆部材３及び第二被覆部材４夫々の内面３ａ，４ａに付着したワックスを剥がそうとする場合には、サーフボード１を出し入れする開口部から手を入れて除去することになるが、従来例は、いずれも内側の隅々まで手が届かず、十分にワックスを落としきれないのが現状である（開口部はサーフボード１の出し入れが行える程度しか開口していない。）。
【０００７】
本発明は、上述した問題点に着目し、極めて商品価値の高い画期的なサーフボードケースを開発した。
【０００８】
【課題を解決するための手段】
添付図面を参照して本発明の要旨を説明する。
【０００９】
サーフボード１を収納するためのサーフボードケースであって、ケース本体２は、サーフボード１の上面部１ａを被覆する第一被覆部材３と、この第一被覆部材３と重合状態に連設され、サーフボード１の下面部１ｂを被覆する第二被覆部材４とから成り、第一被覆部材３と第二被覆部材４とは、サーフボード１の上面部１ａにワックスを塗布する部分に対応する第一被覆部材３の内面３ａ及び該ワックスを塗布する部分に対応する内面３ａに重合される第二被覆部材４の内面４ａの双方が略全て露出するように展開可能に連設されていることを特徴とするサーフボードケースに係るものである。
【００１０】
また、サーフボード１を収納するためのサーフボードケースであって、ケース本体２は、サーフボード１の上面部１ａを被覆し該上面部１ａと略同形状の第一被覆部材３と、サーフボード１の下面部１ｂを被覆し該下面部１ｂと略同形状の第二被覆部材４とから成り、この第一被覆部材３と第二被覆部材４とは夫々の周縁３ｂ，４ｂの一部において連設され、該周縁３ｂ，４ｂの残余の部分はファスナー等の適宜な開閉手段５により接離自在に連設され、前記開閉手段５の長さは、第二被覆部材４に対して第一被覆部材３が展開可能となる長さに設定されていることを特徴とするサーフボードケースに係るものである。
【００１１】
また、請求項２記載のサーフボードケースにおいて、前記第一被覆部材３及び第二被覆部材４はともに対向する直線状縁３ｂ’，４ｂ’の両端に湾曲状縁３ｂ”，４ｂ”が連設された形状であり、第一被覆部材３と第二被覆部材４との周縁３ａ，４ａにおける連設部６は互いに対向する直線状縁３ｂ’，４ｂ’に設けられていることを特徴とするサーフボードケースに係るものである。
【００１２】
【発明の作用及び効果】
従来例とは異なり、本発明は、第一被覆部材３と第二被覆部材４とは、サーフボード１の上面部１ａにワックスを塗布する部分に対応する第一被覆部材３の内面３ａ及び該ワックスを塗布する部分に対応する内面３ａに重合される第二被覆部材４の内面４ａの双方が略全て露出するように展開可能に構成されているから、例えばサーフボード１の下面部１ｂを被覆する第二被覆部材４の内面４ａにワックスが付着した際、第二被覆部材４を第一被覆部材３に対して展開し、この状態で例えばリムーバーなどを使用して第二被覆部材４の内面４ａ（及び第一被覆部材３の内面３ａ）に付着したワックスを綺麗に削り落とすことができる。
【００１３】
従って、従来例とは異なり、ケース本体２の内面に付着したワックスを綺麗に除去することができ、このことから、常にサーフボード１を良好な状態に維持することができることになる。
【００１４】
以上のように、本発明は、従来にない画期的な作用効果を発揮し、極めて商品価値の高いものになる。
【００１５】
【発明の実施の態様】
図面は本発明の一実施例を図示したものであり、以下に説明する。
【００１６】
本実施例は、サーフボード１を収納するためのサーフボードケースである。
【００１７】
具体的には、このサーフボードケースを構成するケース本体２は、サーフボード１の上面部１ａ（デッキ面１ａ）を被覆する第一被覆部材３と、この第一被覆部材３と重合状態に連設され、サーフボード１の下面部１ｂ（滑走面１ｂ）を被覆する第二被覆部材４とから成る。
【００１８】
この第一被覆部材３及び第二被覆部材４は、夫々適宜な生地をサーフボード１に近似した平面視細長形状（長楕円形状）に形成されており、この第一被覆部材３と第二被覆部材４とは夫々の周縁３ｂ，４ｂ（対向する直線状縁３ｂ’，４ｂ’と、この直線状縁３ｂ’，４ｂ’の両端に連設される湾曲状縁３ｂ”，４ｂ”）の左側の直線状縁３ｂ’，４ｂ’同士において連設され、該周縁３ｂ，４ｂの残余の部分（右側の直線状縁３ｂ’，４ｂ’、先端側の湾曲状縁３ｂ”，４ｂ”及び後端側の湾曲状縁３ｂ”，４ｂ”）においては適宜な開閉手段５としてのファスナー５により接離自在に連設されている。このファスナー５により接離される部分は、サーフボード１を出し入れする開口部となり、ファスナー５を全開にすることで第一被覆部材３に対して第二被覆部材４を展開し得ることになる。
【００１９】
また、この開閉手段５と、第一被覆部材３及び第二被覆部材４夫々の周縁３ｂ，４ｂ同士の連設部６とは、第一被覆部材３に対して第二被覆部材４を展開可能となるように構成されており、具体的には、この第二被覆部材４を第一被覆部材３に対して展開した際、サーフボード１の上面部１ａにワックスを塗布する部分に対応する第一被覆部材３の内面３ａ及び該ワックスを塗布する部分に対応する内面３ａに重合される第二被覆部材４の内面４ａの双方が略全て露出するように、当該開閉手段５及び連設部６の長さ、形状は適宜設定されている。
【００２０】
尚、本実施例では、第一被覆部材３及び第二被覆部材４夫々の周縁３ｂ，４ｂ同士における連設部６は、直線状縁３ｂ’，４ｂ’同士を連設して構成しているが、例えば先端側の湾曲状縁３ｂ”，４ｂ”同士、或いは、後端側の湾曲状縁３ｂ”，４ｂ”同士を連設することで構成しても良く、要は、第二被覆部材４を第一被覆部材３に対して良好に展開できれば良い。
【００２１】
符号１ｃはサーフボード１の滑走面１ｂに着脱自在に設けられるフィン、７は把手部である。
【００２２】
本実施例は上述のように構成したから、例えばサーフボード１の滑走面１ｂを被覆する第二被覆部材４の内面４ａにワックスが付着した際、第二被覆部材４を第一被覆部材３に対して展開し、この状態で例えば樹脂製板状のリムーバー８などを使用して第一被覆部材３及び第二被覆部材４の夫々の内面３ａ，４ａに付着したワックスを綺麗に削り落とすことができる（図４参照）。尚、通常、前記樹脂製板状のリムーバー８による削りワックス除去作業後、液状のリムーバーにより仕上げのワックス除去作業が適宜行われる。
【００２３】
よって、本実施例によれば、従来例とは異なり、ケース本体２の内面に付着したワックスを綺麗に除去することができ、このことから、常にサーフボード１を良好な状態に維持することができることになる。
【００２４】
また、本実施例は、ケース本体２をその内面が露出するように略全開に展開することができるから、例えばケース本体２を洗って乾かす際にも有効な構造である。
【００２５】
尚、本発明は、本実施例に限られるものではなく、各構成要件の具体的構成は適宜設計し得るものである。
【図面の簡単な説明】
【図１】本実施例を示す平面図である。
【図２】本実施例に係るケース本体２を展開した状態を示す平面図である。
【図３】本実施例の使用状態説明図である。
【図４】本実施例に係るケース本体２を構成する第一被覆部材３及び第二被覆部材４に付着したワックスの除去作業を説明する正面図である。
【図５】
本実施例に係るケース本体２を構成する第一被覆部材３及び第二被覆部材４にワックスが付着する状態の説明図である。
【符号の説明】
１  サーフボード
１ａ  上面部
１ｂ  下面部
２  ケース本体
３  第一被覆部材
３ａ  内面
３ｂ  周縁
３ｂ’  直線状縁
３ｂ”  湾曲状縁
４  第二被覆部材
４ａ  内面
４ｂ  周縁
４ｂ’  直線状縁
４ｂ”  湾曲状縁
５  開閉手段
６  連設部
【図１】
2004174072.tif 000003
【図２】
2004174072.tif 000004
【図３】
2004174072.tif 000005
【図４】
2004174072.tif 000006
【図５】
2004174072.tif 000007